(57)【要約】【課題】ウェブページ内の動画コンテンツの再生操作を容易にするウェブコンテンツ表示装置およびウェブコンテンツ表示方法を提供する。【解決手段】ウェブコンテンツ表示装置は、リモコンからのキー入力を受信するリモコン受信部と、ウェブコンテンツを受信するウェブコンテンツ受信部と、ウェブページ情報を作成するウェブページ情報作成部と、ウェブページ情報から動画コンテンツ情報を抽出する抽出部と、動画コンテンツが再生可能かを判定する判定部と、再生可能な動画コンテンツ情報を保存する蓄積部と、再生可能な動画コンテンツ情報から動画コンテンツ一覧を作成する動画コンテンツ一覧作成部と、動画コンテンツの再生を制御する再生制御部と、ウェブページ情報と動画コンテンツ一覧を同時表示する表示制御部とを備え、再生制御部は、リモコン受信部が受信したキー入力に応じて、動画コンテンツの再生を制御する。【選択図】図１
2013020400.tif 000002
【特許請求の範囲】
【請求項１】
リモコンからのキー入力を受信するリモコン受信部と、
ウェブコンテンツを受信するウェブコンテンツ受信部と、
前記ウェブコンテンツを解析して、ウェブページ情報を作成するウェブページ情報作成部と、
前記ウェブページ情報から動画コンテンツ情報を抽出する動画コンテンツ情報抽出部と、
前記動画コンテンツ情報で指定された動画コンテンツが再生可能かどうかを判定する動画コンテンツ再生可否判定部と、
再生可能な動画コンテンツ情報を保存する動画コンテンツ情報蓄積部と、
前記再生可能な動画コンテンツ情報に応じて、動画コンテンツ一覧を作成する動画コンテンツ一覧作成部と、
前記動画コンテンツの再生を制御する動画コンテンツ再生制御部と、
前記ウェブページ情報と前記動画コンテンツ一覧を同時表示するウェブコンテンツ表示制御部と、を備え、
前記動画コンテンツ再生制御部は、前記リモコン受信部が受信した前記キー入力に応じて、前記動画コンテンツの再生を制御することを特徴とするウェブコンテンツ表示装置。
【請求項２】
ウェブコンテンツを受信するステップと、
受信した前記ウェブコンテンツを解析して、ウェブページ情報を作成するステップと、
作成した前記ウェブページ情報から動画コンテンツ情報を抽出するステップと、
抽出した前記動画コンテンツ情報で指定された動画コンテンツが再生可能かどうかを判定するステップと、
再生可能な動画コンテンツ情報を保存するステップと、
前記再生可能な動画コンテンツ情報に応じて、動画コンテンツ一覧を作成するステップと、
作成した前記ウェブページ情報と前記動画コンテンツ一覧を同時表示するステップと、
リモコンからのキー入力を受信するステップと、
前記キー入力に応じて、前記再生可能な動画コンテンツの再生を制御するステップと、
を有することを特徴とするウェブコンテンツ表示方法。
【発明の詳細な説明】
【技術分野】
【０００１】
本発明は、ウェブコンテンツ表示装置およびウェブコンテンツ表示方法に関し、更に詳しくは、ボタン操作によりウェブコンテンツ内の動画閲覧を容易にするウェブコンテンツ表示装置およびウェブコンテンツ表示方法に関する。
【背景技術】
【０００２】
近年、インターネットに接続する機能がゲーム機やテレビなどに搭載され、テレビを利用してインターネットのウェブサイトを閲覧するようになってきた。更に、動画コンテンツを閲覧するウェブサイトが増え、テレビの大画面で動画コンテンツを再生したいという要望も大きくなっており、リモコンの矢印キーによる操作で動画コンテンツを容易に扱えるテレビ向けウェブページもでてきた。しかしながら、やはり、ウェブページの多くは、マウスを前提としたユーザーインターフェースでデザインされており、マウスと馴染みがないテレビでは、扱いにくいのが現状である。
【０００３】
一方、テレビなどのリモコンでのウェブページ閲覧を容易にする技術として、ＨＴＭＬ（ＨｙｐｅｒＴｅｘｔ  Ｍａｒｋｕｐ  Ｌａｎｇｕａｇｅ）データからリンク情報を抽出し、そのリンク情報の夫々に個別の記号を付与し、その記号が入力された場合にその記号に対応するリンク情報の示すウェブページへ移動する技術がある（例えば、特許文献１参照）。
【先行技術文献】
【特許文献】
【０００４】
【特許文献１】特開２００８−２１７２２８号公報
【発明の概要】
【発明が解決しようとする課題】
【０００５】
しかしながら、上記特許文献１によるウェブページ閲覧装置では、記号を入力すると対応するリンク情報の示すウェブページに移動するが、記号で指定できるのはあくまでウェブページであって、ウェブページ内にある動画コンテンツを指定できるものではない。そのため、ウェブページ内の動画コンテンツはウェブページ内だけで制御されるものであって、例えば、動画再生の再生ボタンや一時停止ボタンで再生を制御する、動画コンテンツをテレビに全画面表示するといった処理を行うことはできず、テレビで閲覧することに一番メリットがある動画再生に関しては、依然、マウス操作を必要とするという問題があった。
【０００６】
本発明は、上記従来の課題を解決するもので、ウェブページ内の動画コンテンツの再生操作を容易にするウェブコンテンツ表示装置およびウェブコンテンツ表示方法を提供することを目的とする。
【課題を解決するための手段】
【０００７】
本発明の請求項１にかかるウェブコンテンツ表示装置は、リモコンからのキー入力を受信するリモコン受信部と、ウェブコンテンツを受信するウェブコンテンツ受信部と、ウェブコンテンツを解析して、ウェブページ情報を作成するウェブページ情報作成部と、ウェブページ情報から動画コンテンツ情報を抽出する動画コンテンツ情報抽出部と、動画コンテンツ情報で指定された動画コンテンツが再生可能かどうかを判定する動画コンテンツ再生可否判定部と、再生可能な動画コンテンツ情報を保存する動画コンテンツ情報蓄積部と、再生可能な動画コンテンツ情報に応じて、動画コンテンツ一覧を作成する動画コンテンツ一覧作成部と、動画コンテンツの再生を制御する動画コンテンツ再生制御部と、ウェブページ情報と動画コンテンツ一覧を同時表示するウェブコンテンツ表示制御部と、を備え、動画コンテンツ再生制御部は、リモコン受信部が受信したキー入力に応じて、動画コンテンツの再生を制御することを特徴とする。
【０００８】
また、本発明の請求項２にかかるウェブコンテンツ表示方法は、ウェブコンテンツを受信するステップと、受信したウェブコンテンツを解析して、ウェブページ情報を作成するステップと、作成したウェブページ情報から動画コンテンツ情報を抽出するステップと、抽出した動画コンテンツ情報で指定された動画コンテンツが再生可能かどうかを判定するステップと、再生可能な動画コンテンツ情報を保存するステップと、再生可能な動画コンテンツ情報に応じて、動画コンテンツ一覧を作成するステップと、作成したウェブページ情報と前記動画コンテンツ一覧を同時表示するステップと、リモコンからのキー入力を受信するステップと、キー入力に応じて、再生可能な動画コンテンツの再生を制御するステップと、を有することを特徴とする。
【発明の効果】
【０００９】
本発明のウェブコンテンツ表示装置およびウェブコンテンツ表示方法によれば、ウェブコンテンツ内の動画再生において、マウスがなくてもテレビなどのリモコンで容易に操作できるため、ユーザの操作性が向上する。
【図面の簡単な説明】
【００１０】
【図１】本発明の実施の形態１におけるウェブコンテンツ表示装置の構成を示すブロック図
【図２】本発明の実施の形態１におけるウェブページの構成例を示す図
【図３】本発明の実施の形態１における動画コンテンツ一覧の画面表示例を示す図
【図４】本発明の実施の形態１における動画コンテンツ抽出処理を示すフローチャート
【図５】本発明の実施の形態１における複数ウェブページから抽出した動画コンテンツ一覧の画面表示例を示す図
【発明を実施するための形態】
【００１１】
以下本発明を実施するための形態について、図面を参照しながら説明する。
【００１２】
（実施の形態１）
図１は、本発明の実施の形態１におけるウェブコンテンツ表示装置の構成を示すブロック図である。ウェブコンテンツ表示装置は、リモコン受信部１０２と、ウェブコンテンツ受信部１０３と、ウェブページ情報作成部１０４と、ウェブコンテンツ表示制御部１０５と、動画コンテンツ情報抽出部１０６と、動画コンテンツ再生可否判定部１０７と、動画コンテンツ情報蓄積部１０８と、動画コンテンツ一覧作成部１０９と、動画コンテンツ再生制御部１１０から構成され、ユーザはリモコン１０１によってウェブコンテンツ表示装置を制御する。
【００１３】
リモコン受信部１０２において、ユーザのリモコン１０１操作により指定されたＵＲＬの情報が受信されると、ウェブコンテンツ受信部１０３は通信回線を経由して、指定されたＵＲＬのＨＴＭＬデータを受信し、ウェブページ情報作成部１０４は、受信されたＨＴＭＬデータを解析し、ウェブページ情報を作成する。ここで、ウェブページ情報は、テキストや画像などのＨＴＭＬ要素で構成される。そして、関連するＣＳＳ（Ｃａｓｃａｄｉｎｇ  Ｓｔｙｌｅ  Ｓｈｅｅｔ）や画像などの情報と合わせて、それぞれのＨＴＭＬ要素がどの位置にどのようにレイアウトされるかが決定されて、ウェブコンテンツ表示制御部１０５によって画面に表示される。
【００１４】
図２に、本実施の形態におけるＨＴＭＬデータとウェブページ情報の構成例を示す。ＨＴＭＬ文書ファイル２０１に記述された各ＨＴＭＬ要素は、論理的には木構造になっており、ＤＯＭツリー２０２のように表現される。ＤＯＭツリー２０２を構成するＨＴＭＬ要素の中には、表示スタイルを記述したＣＳＳファイル２０３を指定するＬＩＮＫ要素や、画像データ２０４を指定するＩＭＧ要素などが含まれる。ここで動画コンテンツは、フラッシュプレイヤーなどによるプラグイン再生でなく、ＨＴＭＬ５の規格で追加されたｖｉｄｅｏ要素として構成されており、ｖｉｄｅｏ要素の中には、動画コンテンツのＵＲＬ情報や再生画面のサイズ情報などが含まれている。
【００１５】
さらに図１において、動画コンテンツ情報抽出部１０６は、ウェブページ情報作成部１０４で作成したウェブページ情報から、ｖｉｄｅｏ要素を抽出し、動画コンテンツ再生可否判定部１０７へ渡す。動画コンテンツ再生可否判定部１０７は、ｖｉｄｅｏ要素がウェブページ表示装置で再生可能かどうかを判定し、再生可能な場合は、ｖｉｄｅｏ要素に含まれる動画コンテンツのＵＲＬ情報を動画コンテンツ情報として動画コンテンツ情報蓄積部１０８へ蓄積する。動画コンテンツ一覧作成部１０９は、動画コンテンツ情報蓄積部１０８から、動画コンテンツ情報を取り出し、動画コンテンツ一覧を作成し、ウェブコンテンツ表示制御部１０５によって画面に出力する。
【００１６】
図３に、動画コンテンツ一覧とウェブページの画面構成例を示す。ここで、例えば、リモコン１０１でのＣＨアップ／ダウンキー操作により、動画コンテンツ一覧画面３０１のフォーカス移動を操作し、リモコン１０１でのカーソルキー操作によりウェブページ画面３０２のフォーカス移動を操作することで、ウェブページを見ながら、ユーザは容易に動画コンテンツの選択と再生が操作できる。
【００１７】
さらに、動画コンテンツ一覧画面３０１で動画コンテンツを選択すると、図１における動画コンテンツ再生制御部１１０により動画コンテンツの再生が行われ、動画コンテンツ一覧画面３０１とウェブページ画面３０２が消え、選択された動画コンテンツの再生が全画面に表示される。全画面再生中には、リモコン１０１の再生、停止、一時停止キー等で再生制御が可能になる。なお、他のリモコンキーにより再生制御のコマンドを割り当てることも可能である。また、戻るキーを押すことで、図３の画面に戻っても良いし、ＣＨアップ／ダウンキーを押すことで、動画コンテンツ一覧の次の動画コンテンツの再生に自動的に切り替えてもよい。
【００１８】
次に動画コンテンツの抽出アルゴリズムを、図４の動画コンテンツ抽出処理のフローチャートを用いて説明する。図１におけるウェブページ情報作成部１０４から、動画コンテンツ情報抽出部１０６にてウェブページ情報のＨＴＭＬ要素ツリー２０２の各ＨＴＭＬ要素がｖｉｄｅｏ要素かどうか判定し（ステップＳ４０１）、ｖｉｄｅｏ要素でなかったら（ステップＳ４０１のＮｏ）、次のＨＴＭＬ要素の判定に移行する（ステップＳ４０５）。ｖｉｄｅｏ要素の場合は（ステップＳ４０１のＹｅｓ）、動画コンテンツ情報蓄積部１０８に動画コンテンツのＵＲＬが登録済みかどうかを判断し（ステップＳ４０２）、登録済みだった場合は（ステップＳ４０２のＹｅｓ）、次のＨＴＭＬ要素の判定に移行する（ステップＳ４０５）。登録済みでない場合は（ステップＳ４０２のＮｏ）、その動画コンテンツが再生可能かどうかを動画コンテンツ再生可否判定部１０７で判定する（ステップＳ４０３）。ここで、再生可能かどうかの判定は、ＵＲＬのファイルの拡張子などでファイルフォーマットが対応しているかどうかを判断するとともに、一度動画コンテンツを受信し、裏で再生を試みることで、ビデオコーデックやＤＲＭなどの条件も合わせて、再生可能かどうかを判断する。再生可能でない場合は（ステップＳ４０３のＮｏ）、次のＨＴＭＬ要素の判定に移行する（ステップＳ４０５）。再生可能な場合は（ステップＳ４０３のＹｅｓ）、動画コンテンツ情報蓄積部１０８に登録し（ステップＳ４０４）、次のＨＴＭＬ要素の判定に移行する（ステップＳ４０５）。すべてのＨＴＭＬ要素を判定したら（ステップＳ４０５のＮｏ）、ＨＴＭＬ要素ツリーの更新を監視する（ステップＳ４０６）。これは、ウェブページ操作中にＪａｖａ（登録商標）ＳｃｒｉｐｔプログラムによってＨＴＭＬ要素が動的に追加されたり削除されたりするためである。
【００１９】
図５は、ウェブページＡ５０２、ウェブページＢ５０３、ウェブページＣ５０４から動画コンテンツ情報を抽出し、動画コンテンツ一覧５０１に表示する画面構成例を示している。このように複数ページから抽出することで、ウェブページをまたいだ動画コンテンツの選択を容易にできる。
【００２０】
また、図５ではタブで開いているウェブページのみから抽出しているが、ウェブページを画面表示することなく図４に示す動画コンテンツ抽出処理だけ実行することで、例えばブックマークに登録しているものすべてから抽出することもできる。さらに、ウェブページを開いていない場合は、ｖｉｄｅｏ要素の追加・削除の更新が分からないが、定期的に動画コンテンツ抽出処理を実行することで、更新を検知し、動画コンテンツ情報を更新することができる。抽出した動画コンテンツのＵＲＬに置いてある動画コンテンツが、消されたり、変更されたりする可能性もあるので、この定期的に再生可能かどうかを判定する処理は有用である。
【００２１】
なお、本実施の形態では、ｖｉｄｅｏ要素の抽出に関して説明したが、ａｕｄｉｏ要素などの他の要素の抽出に関しても同様の処理で同様の効果がある。
【産業上の利用可能性】
【００２２】
本発明にかかるウェブコンテンツ表示装置およびウェブコンテンツ表示方法は、ウェブページ外に動画コンテンツ一覧を抽出することで、再生可能な動画コンテンツを容易に選択することができ、全画面表示やリモコンの再生／停止ボタンで制御可能とするなどのユーザカスタマイズ可能な動画再生を可能とし、主にリモコン操作がメインであってマウスを使うことに馴染みのないデジタルテレビ等の表示画面を有するＡＶ機器に有用である。
【符号の説明】
【００２３】
１０１    リモコン
１０２    リモコン受信部
１０３    ウェブコンテンツ受信部
１０４    ウェブページ情報作成部
１０５    ウェブコンテンツ表示制御部
１０６    動画コンテンツ情報抽出部
１０７    動画コンテンツ再生可否判定部
１０８    動画コンテンツ情報蓄積部
１０９    動画コンテンツ一覧作成部
１１０    動画コンテンツ再生制御部
【図１】
2013020400.tif 000003
【図２】
2013020400.tif 000004
【図３】
2013020400.tif 000005
【図４】
2013020400.tif 000006
【図５】
2013020400.tif 000007